(57)【要約】【課題】紙やフィルムなどに描画されている画像をスキャナでスキャンしてプリンタから出力したものの色と、この紙やフィルムなどに描画されている画像の色とを、高い精度で一致させられるようにすること。【解決手段】カラーチャートの測色データとスキャン画像とから、このスキャン画像を得たスキャナのスキャナプロファイルを作成する機能と、  スキャナ画像を、スキャナプロファイルと、このスキャナ画像を出力するプリンタのプリンタファイルとを用いて色変換後、このプリンタで出力した結果に基づいて、測色データを補正して、スキャナプロファイルを作成し直す機能とを有することを特徴とするスキャナプロファイル作成システム。【選択図】なし【特許請求の範囲】
【請求項１】
カラーチャートの測色データとスキャン画像とから、このスキャン画像を得たスキャナのスキャナプロファイルを作成する機能と、
スキャナ画像を、スキャナプロファイルと、このスキャナ画像を出力するプリンタのプリンタファイルとを用いて色変換後、このプリンタで出力した結果に基づいて、測色データを補正して、スキャナプロファイルを作成し直す機能とを有することを特徴とするスキャナプロファイル作成システム。
【請求項２】
コンピュータが実行する方法であって、
カラーチャートの測色データとスキャン画像とから、このスキャン画像を得たスキャナのスキャナプロファイルを作成する工程と、
スキャナ画像を、スキャナプロファイルと、このスキャナ画像を出力するプリンタのプリンタファイルとを用いて色変換後、このプリンタで出力した結果に基づいて、測色データを補正して、スキャナプロファイルを作成し直す工程とを含むことを特徴とするスキャナプロファイル作成方法。
【請求項３】
コンピュータに、
カラーチャートの測色データとスキャン画像とから、このスキャン画像を得たスキャナのスキャナプロファイルを作成する工程と、
スキャナ画像を、スキャナプロファイルと、このスキャナ画像を出力するプリンタのプリンタファイルとを用いて色変換後、このプリンタで出力した結果に基づいて、測色データを補正して、スキャナプロファイルを作成し直す工程とを実行させることを特徴とするスキャナプロファイル作成プログラム。
【請求項４】
請求項３に記載のスキャナプロファイル作成プログラムを記録した記録媒体。
【発明の詳細な説明】
【技術分野】
【０００１】
本発明は、スキャナプロファイルを作成する技術に関する。
【背景技術】
【０００２】
一般に、デバイスのプロファイルは、デバイス値と色彩値（ＸＹＺ値またはＬａｂ値）との対比表である。デバイスがスキャナの場合、デバイス値は、ＲＧＢ値である。
【０００３】
従来、スキャナプロファイルは、以下のような方法で作成している。
【０００４】
予め、スキャナプロファイル作成用カラーチャートの各パッチの色彩値を測色器で取得しておき、次に、このスキャナプロファイル作成用カラーチャートのスキャン画像から、各パッチのＲＧＢ値を取得する。これら色彩値とＲＧＢ値とを用いて、スキャナプロファイラと呼ばれるプログラムに従ってコンピュータが、ＲＧＢ値と色彩値との対比表を計算して、スキャナプロファイルを作成する。
【０００５】
従来のスキャナプロファイルの作成方法には、以下のような欠点がある。
【０００６】
まず、スキャナプロファイルの精度が、スキャナプロファイラの特性に依存してしまう。
【０００７】
また、スキャナ自体の特性と、スキャナプロファイル作成用チャートの用紙特性（写真、印刷等）の相性とにより、スキャナプロファイルの精度が変化する。
【０００８】
また、たとえスキャナプロファイルの精度が高くても、紙やフィルムなどに描画されている画像のスキャン画像データを、スキャナプロファイルと、プリンタプロファイルとを用いて色変換した後に、プリンタから出力した場合、スキャナプロファイルと、プリンタプロファイルとの相性により、出力画像の色と、紙やフィルムなどに描画されている画像の色との一致が必ずしも保証されない。
【発明の開示】
【発明が解決しようとする課題】
【０００９】
本発明は斯かる背景技術に鑑みてなされたもので、紙やフィルムなどに描画されている画像をスキャナでスキャンしてプリンタから出力したものの色と、この紙やフィルムなどに描画されている画像の色とを、高い精度で一致させられるようにすることを課題とする。
【課題を解決するための手段】
【００１０】
本発明において上記課題を達成するために、まず請求項１の発明では、カラーチャートの測色データとスキャン画像とから、このスキャン画像を得たスキャナのスキャナプロファイルを作成する機能と、
スキャナ画像を、スキャナプロファイルと、このスキャナ画像を出力するプリンタのプリンタファイルとを用いて色変換後、このプリンタで出力した結果に基づいて、測色データを補正して、スキャナプロファイルを作成し直す機能とを有することを特徴とするスキャナプロファイル作成システムとしたものである。
【００１１】
また請求項２の発明では、コンピュータが実行する方法であって、
カラーチャートの測色データとスキャン画像とから、このスキャン画像を得たスキャナのスキャナプロファイルを作成する工程と、
スキャナ画像を、スキャナプロファイルと、このスキャナ画像を出力するプリンタのプリンタファイルとを用いて色変換後、このプリンタで出力した結果に基づいて、測色データを補正して、スキャナプロファイルを作成し直す工程とを含むことを特徴とするスキャナプロファイル作成方法としたものである。
【００１２】
また請求項３の発明では、コンピュータに、
カラーチャートの測色データとスキャン画像とから、このスキャン画像を得たスキャナのスキャナプロファイルを作成する工程と、
スキャナ画像を、スキャナプロファイルと、このスキャナ画像を出力するプリンタのプリンタファイルとを用いて色変換後、このプリンタで出力した結果に基づいて、測色データを補正して、スキャナプロファイルを作成し直す工程とを実行させることを特徴とするスキャナプロファイル作成プログラムとしたものである。
【００１３】
また請求項４の発明では、請求項３に記載のスキャナプロファイル作成プログラムを記録した記録媒体としたものである。
【発明の効果】
【００１４】
本発明は、紙やフィルムなどに描画されている画像をスキャナでスキャンしてプリンタから出力したものの色と、この紙やフィルムなどに描画されている画像の色とを、高い精度で一致させられるという効果がある。
【発明を実施するための最良の形態】
【００１５】
以下に、本発明の最良の一実施形態を説明する。
【００１６】
本実施形態のスキャナプロファイル作成システムは、図１に示すように、測色器とコンピュータとを備え、測色器はコンピュータに接続されているものである。ユーザは、コンピュータに、スキャナと、プリンタとを接続する。そして、ユーザは、このプリンタのプリンタプロファイルを固定したまま、紙やフィルムなどに描画されている画像をスキャナでスキャンしてプリンタから出力したものと、この紙やフィルムなどに描画されている画像の色とが一致をするように、このスキャナのスキャナプロファイルを作成する。
【００１７】
以下に、本実施形態のスキャナプロファイル作成システムによるスキャナプロファイル作成手順の例を説明する。
【００１８】
Ｓ（ＳＴＥＰ）１；
ユーザは、スキャナプロファイル作成用カラーチャートを測色器で測色して、このスキャナプロファイル作成用カラーチャートの各パッチの色彩値を合わす測色データａを取得し、この測色データａを、コンピュータに入力する。
【００１９】
Ｓ（ＳＴＥＰ）２；
ユーザは、スキャナプロファイル作成用カラーチャートをスキャナでスキャンして、このスキャナプロファイル作成用カラーチャートのスキャン画像を取得し、このスキャン画像を、コンピュータに入力する。
【００２０】
Ｓ（ＳＴＥＰ）３；
コンピュータは、スキャナプロファイル作成用カラーチャートのスキャン画像と、測色データａとから、スキャナプロファイルａを作成する。
【００２１】
Ｓ（ＳＴＥＰ）４；
コンピュータは、スキャナプロファイル作成用カラーチャートのスキャン画像を、スキャナプロファイルａと、プリンタプロファイルを用いて色変換後、プリンタから、出力色変換済みカラーチャート出力物ａとして、出力する。
【００２２】
Ｓ（ＳＴＥＰ）５；
ユーザは、出力色変換済みカラーチャート出力物ａを測色器で測色して、この出力色変換済みカラーチャート出力物ａの各パッチの色彩値を表す測色データｂを取得し、この測色データｂを、コンピュータに入力する。
【００２３】
Ｓ（ＳＴＥＰ）６；
コンピュータは、測色データａと、測色データｂとから、以下の数式（１）に従って、測色データａ’を計算する。
【００２４】
測色データａ’＝測色データａ＋（測色データａ−測色データｂ）…（１）。
【００２５】
数式（１）は、測色データｂに基づいて、測色データａを補正するものである。
【００２６】
Ｓ（ＳＴＥＰ）７；
コンピュータは、スキャナプロファイル作成用カラーチャートのスキャン画像と、測色データａ’とから、スキャナプロファイルａ’を作成する。
【００２７】
Ｓ（ＳＴＥＰ）８；
コンピュータは、スキャナプロファイル作成用カラーチャートのスキャン画像を、スキャナプロファイルａ’と、プリンタプロファイルを用いて色変換後、プリンタから、出力色変換済みカラーチャート出力物ａ’として、出力する。
【００２８】
Ｓ（ＳＴＥＰ）９；
ユーザは、出力色変換済みカラーチャート出力物ａ’を測色器で測色して、この出力色変換済みカラーチャート出力物ａ’の各パッチの色彩値を表す測色データｂ’を取得し、この測色データｂ’を、コンピュータに入力する。
【００２９】
Ｓ（ＳＴＥＰ）１０；
コンピュータは、測色データａと、測色データｂと、測色データｂ’とから、以下の数式（２）に従って、最適な測色データを計算する。
【００３０】
最適な測色データ＝測色データａ＋（測色データａ−測色データｂ）＊｜（測色データａ−測色データｂ）／（測色データｂ’−測色データｂ）｜…（２）
数式（２）は、数式（１）による測色データａの補正について、その補正の過不足を、測色データｂ’に基づいて調整するものである。
【００３１】
Ｓ（ＳＴＥＰ）１１；
コンピュータは、スキャナプロファイル作成用カラーチャートのスキャン画像と、最適な測色データとから、スキャナプロファイルを作成し、これを正式なスキャナプロファイルとする。
【図面の簡単な説明】
【００３２】
【図１】スキャナプロファイル作成システムの構成の例を示す図。
【図１】
2006101303.tif 000002